(57)【要約】【課題】植物の栽培空間の温度の制御を効率的に行うことができる水耕栽培装置を提供する。【解決手段】水耕栽培装置１は、閉空間の下部側に配置され、植物Ｐの養水Ｗを貯留する貯留槽４２及び養水の温度を制御するペルチェ素子４４を有する水耕栽培器と、閉空間の上部側に配置され、水耕栽培器に向けて光を照射する照明装置５２と、下り壁２４に配置された第１吸気口２６と、背面部２０の上部側に配置された第１排気口３０と、第１排気口３０に対応する位置に配置された換気ファン５４と、前面部３４の下部側に配置された第２吸気口４０と、背面部２０の下部側に配置された第２排気口３２と、第２排気口３２に対応する位置に配置された換気ファン４６とを備える。【選択図】図５
2014161298.tif 000002
【特許請求の範囲】
【請求項１】
上部、下部及び４つの側部で画成される閉空間を有する水耕栽培装置であって、
前記閉空間の前記上部側に配置され、前記下部側に向けて光を照射する照明装置と、
前記閉空間の前記下部側に配置され、植物の養液を貯留する貯留槽及び前記養液の温度を制御する温度制御部を有する水耕栽培器と、
４つの前記側部のうちの一つの側部の前記上部側に配置された第１吸気口と、
前記第１吸気口が配置された前記側部と対向する側部の前記上部側に配置された第１排気口と、
前記第１排気口に対応する位置に配置された第１排気手段と、
４つの前記側部のうちの一つの側部の前記下部側に配置された第２吸気口と、
前記第２吸気口が配置された前記側部に対向する側部の前記下部側に配置された第２排気口と、
前記第２排気口に対応する位置に配置された第２排気手段と、を備える、水耕栽培装置。
【請求項２】
前記第１吸気口及び前記第１排気口は、前記照明装置から下方の所定の距離の範囲内に配置されている、請求項１記載の水耕栽培装置。
【請求項３】
前記第１吸気口及び前記第１排気口は、栽培される前記植物の想定高さ位置よりも上方に配置されている、請求項１又は２記載の水耕栽培装置。
【請求項４】
前記閉空間において収容及び引き出し可能に設けられた引出し部を備え、
前記引出し部は、前記第２吸気口が配置された前記側部と、当該側部と一体に形成され、前記水耕栽培器が載置される載置部とから構成されており、
前記第２排気口に対応する位置に配置された前記第２排気手段は、前記載置部に設置されている、請求項１〜３のいずれか一項記載の水耕栽培装置。
【請求項５】
前記引出し部の前記側部には、窓部が設けられている、請求項４記載の水耕栽培装置。
【請求項６】
前記下部にはキャスターが設けられている、請求項１〜５のいずれか一項記載の水耕栽培装置。
【発明の詳細な説明】
【技術分野】
【０００１】
本発明は、水耕栽培装置に関する。
【背景技術】
【０００２】
従来の水耕栽培装置として、例えば特許文献１に記載されたものが知られている。特許文献１に記載の水耕栽培装置は、箱状の本体の内部に複数の栽培室が備えられており、栽培室に備えられた光源と、栽培室の温度を調整する温度調整手段とを有している。この水耕栽培装置では、温度調整手段は、熱交換室内において温度を調整した空気を、熱交換室と栽培室との間で還流させて、栽培室の温度を調整している。
【先行技術文献】
【特許文献】
【０００３】
【特許文献１】特開２０１２−１４７７３０号公報
【発明の概要】
【発明が解決しようとする課題】
【０００４】
上記従来の装置では、栽培室に設けられた光源の点灯による熱負荷により、栽培室の温度が上昇する。そのため、従来の装置では、栽培室の温度を一定の範囲内に保つためには、光源から発生する熱も考慮して栽培室の温度を調整しなければならならず、栽培室の温度調整に関して効率的ではなかった。
【０００５】
本発明は、植物の栽培空間の温度の制御を効率的に行うことができる水耕栽培装置を提供することを目的とする。
【課題を解決するための手段】
【０００６】
本発明に係る水耕栽培装置は、上部、下部及び４つの側部で画成される閉空間を有する水耕栽培装置であって、閉空間の上部側に配置され、下部側に向けて光を照射する照明装置と、閉空間の下部側に配置され、植物の養液を貯留する貯留槽及び養液の温度を制御する温度制御部を有する水耕栽培器と、４つの側部のうちの一つの側部の上部側に配置された第１吸気口と、第１吸気口が配置された側部と対向する側部の上部側に配置された第１排気口と、第１排気口に対応する位置に配置された第１排気手段と、４つの側部のうちの一つの側部の下部側に配置された第２吸気口と、第２吸気口が配置された側部に対向する側部の下部側に配置された第２排気口と、第２排気口に対応する位置に配置された第２排気手段と、を備える。
【０００７】
この水耕栽培装置では、照明装置が配置された上部側に第１吸気口及び第１排気口が配置され、温度制御部が配置された下部側に第２吸気口及び第２排気口が配置されている。これにより、照明装置から発生する熱は、第１吸気口と第１排気口とにより形成される換気路を介して第１排気手段により排気される。また、温度制御部から発生する熱は、第２吸気口と第２排気口とにより形成される換気路を介して第２排気手段により排気される。したがって、水耕栽培装置では、それぞれの熱源に対応した換気路が形成され、熱源から発生した熱を各換気路により放出することができる。したがって、水耕栽培装置では、熱源から発生する熱が閉空間内において拡散することを抑制でき、植物の栽培空間への熱の影響を低減することができるので、植物の栽培空間の温度の制御を効率的に行うことができる。
【０００８】
一実施形態においては、第１吸気口及び第１排気口は、照明装置から下方の所定の距離の範囲内に配置されていてもよい。この構成により、水耕栽培装置では、照明装置から発生する熱が、照明装置の下方の植物の栽培空間に拡散することをより一層抑制できる。
【０００９】
一実施形態においては、第１吸気口及び第１排気口は、栽培される植物の想定高さ位置よりも上方に配置されていてもよい。この構成により、水耕栽培装置では、照明装置から発生する熱が植物の栽培空間に拡散することを、より一層抑制することができる。
【００１０】
一実施形態においては、閉空間において収容及び引き出し可能に設けられた引出し部を備え、引出し部は、第２吸気口が配置された側部と、当該側部と一体に形成され、水耕栽培器が載置される載置部とから構成されており、第２排気口に対応する位置に配置された第２排気手段は、載置部に設置されていてもよい。この構成により、水耕栽培装置では、引出し部を閉空間から引き出すことができるので、水耕栽培器におけるメンテナンス性の向上が図れる。また、水耕栽培装置では、第２排気手段は、水耕栽培器と共に載置部に配置されている。これにより、水耕栽培装置では、温度制御部の近傍に第２排気手段が配置されるため、温度制御部から発生した熱を好適に排気できる。
【００１１】
一実施形態では、引出し部の側部には、窓部が設けられている。この構成により、水耕栽培装置では、引出し部を閉空間に収容した状態で、植物の状態を確認することができる。
【００１２】
一実施形態においては、下部にはキャスターが設けられてもよい。この構成により、水耕栽培装置は、容易に移動することができる。
【発明の効果】
【００１３】
本発明によれば、植物の栽培空間の温度の制御を効率的に行うことができる。
【図面の簡単な説明】
【００１４】
【図１】一実施形態に係る水耕栽培装置を示す斜視図である。
【図２】図１に示す水耕栽培装置を正面から見た図である。
【図３】図１に示す水耕栽培装置を背面から見た図である。
【図４】図１におけるＩＶ−ＩＶ線での断面構成を示す図である。
【図５】図１におけるＶ−Ｖ線での断面構成を示す図である。
【図６】図１におけるＶＩ−ＶＩ線での断面構成を示す図である。
【図７】図５において引出し部を引き出した状態を示す図である。
【発明を実施するための形態】
【００１５】
以下、添付図面を参照して、本発明の好適な実施形態について詳細に説明する。なお、図面の説明において同一又は相当要素には同一符号を付し、重複する説明は省略する。
【００１６】
図１は、一実施形態に係る水耕栽培装置を示す斜視図である。図２は、図１に示す水耕栽培装置を正面から見た図である。図３は、図１に示す水耕栽培装置を背面から見た図である。図４は、図１におけるＩＶ−ＩＶ線での断面構成を示す図である。図５は、図１におけるＶ−Ｖ線での断面構成を示す図である。図６は、図１におけるＶＩ−ＶＩ線での断面構成を示す図である。図７は、図５において引出し部を引き出した状態を示す図である。
【００１７】
各図に示す水耕栽培装置１は、例えばキッチンに配置され、植物Ｐ（図１参照）を栽培することができる。水耕栽培装置１は、上記キッチン以外にも住宅内の部屋又は各種の執務空間等に設置できる。すなわち、水耕栽培装置１は、設置場所を気にすることなく、あらゆる場所で植物Ｐを栽培することができる。
【００１８】
図１に示すように、水耕栽培装置１は、筐体３と、引出し部５と、水耕栽培ユニット７と、照明ユニット９と、制御部１０と、を備えている。
【００１９】
筐体３は、直方体状を成しており、上面部（上部）１２と、上面部１２と対向する下面部（下部）１４と、上面部１２と下面部１４とを連結する一対の側面部（側部）１６，１８と、背面部（側部）２０と、仕切り部（下部）２２と、を備えている。背面部２０に対向する正面側は、引出し部５を挿入するために、面材等で塞がずに開口を形成している。
【００２０】
上面部１２、下面部１４、側面部１６，１８、背面部２０及び仕切り部２２は、例えばアクリル又は塩化ビニール等の樹脂製、若しくは木製の板状の部材である。仕切り部２２は、側面部１６，１８の高さ方向の略中央部に配置され、側面部１６と側面部１８とに亘って設けられている。筐体３の内部は、仕切り部２２により、第１空間Ｓ１及び第２空間Ｓ２に区画されている。
【００２１】
筐体３は、上下２段に第１開口部Ｋ１と、第２開口部Ｋ２と、を有している。第１開口部Ｋ１は、上面部１２、一対の側面部１６，１８及び仕切り部２２により形成され、筐体３の正面側（前方）に開口している。第２開口部Ｋ２は、下面部１４、一対の側面部１６，１８及び仕切り部２２により形成され、前方に開口している。
【００２２】
上面部１２には、上面部１２の内面１２ａから下方に垂下する下り壁２４が設けられている。下り壁２４は、上面部１２の前端側に配置され、筐体３の幅方向（一対の側面部１６，１８の対向方向）に沿って延在している。下り壁２４の下端の位置は、後述する照明装置５２の高さ位置よりも下方に位置している。
【００２３】
図２に示すように、下り壁２４には、第１吸気口２６が設けられている。第１吸気口２６は、下り壁２４の一部（図２のように正面）を貫通して形成されており、略長方形形状を呈している。第１吸気口２６は、側面部１６側に配置されている。第１吸気口２６は、照明装置５２から下方の所定の距離の範囲内で、且つ、栽培される植物Ｐの想定高さ位置Ｈ（図５参照）よりも上方に配置されている。想定高さ位置Ｈは、図５に示すように、例えば換気ファン５４の下端側に対応する位置近傍に設定され、水耕栽培ユニット７の貯留槽４２の蓋部４２ｃから例えば２０ｃｍ〜３０ｃｍ程度の高さ位置である。
【００２４】
仕切り部２２は、図５に示すように、断面が略Ｌ字形状を呈しており、第１空間Ｓ１と第２空間Ｓ２とを区画する本体部２３ａと、本体部２３ａの先端（前端）から下方に垂下する下り壁２３ｂと、を有している。下り壁２３ｂは、筐体３の幅方向に沿って延在している。下り壁２３ｂには、第１吸気口２８が設けられている。第１吸気口２８は、下り壁２３ｂの一部を貫通して形成されており、略長方形形状を呈している。第１吸気口２８は、側面部１６側に配置されており、上下方向において第１吸気口２６と同じ位置に配置されている。
【００２５】
第１吸気口２８は、第１吸気口２６と同様に、照明装置５２から下方に所定の距離の範囲内で、且つ、栽培される植物Ｐの想定高さ位置Ｈよりも上方に配置されている。
【００２６】
図３〜図６に示すように、背面部２０は、上下２段の各段にそれぞれ第１排気口３０と、第２排気口３２と、を有している。第１排気口３０及び第２排気口３２は、第１空間Ｓ１及び第２空間Ｓ２のそれぞれに設けられている。第１排気口３０は、例えば円形形状を呈しており、背面部２０を貫通して形成されている。第１排気口３０は、照明装置５２から下方に所定の距離の範囲内で、且つ、栽培される植物Ｐの想定高さ位置Ｈよりも上方に配置されている。すなわち、第１排気口３０は、第１吸気口２６（第１吸気口２８）と同じ高さ位置に配置されている。第１排気口３０は、上面部１２の内面１２ａ（仕切り部２２の下面２２ｂ）に近い位置であることが好ましい。
【００２７】
また、第１排気口３０は、第１吸気口２６（第１吸気口２８）と対角に配置されている。すなわち、第１排気口３０は、側面部１８側に配置されており、第１吸気口２６（第１吸気口２８）は、側面部１６側に配置されている。第１吸気口２６（第１吸気口２８）と、第１排気口３０と、第１吸気口２６（第１吸気口２８）と第１排気口３０とをつなぐ空気流路とにより、第１空間Ｓ１（第２空間Ｓ２）の上部に換気路が形成されている。
【００２８】
第２排気口３２は、例えば略矩形形状を呈しており、背面部２０を貫通して形成されている。第２排気口３２は、仕切り部２２（下面部１４）側に位置し、第１排気口３０の下方、すなわち側面部１８側に配置されている。
【００２９】
下面部１４には、キャスターＣ１，Ｃ２，Ｃ３，Ｃ４が設けられている。キャスターＣ１〜Ｃ４は、下面部１４の四隅部に配置されている。また、下面部１４の外面１４ｂには、制御部１０が配置されている。
【００３０】
引出し部５は、筐体３の第１空間Ｓ１及び第２空間Ｓ２のそれぞれに、収容及び引き出し可能に設けられている。引出し部５は、前面部３４と、水耕栽培ユニット７が配置される載置部３６と、を有している。引出し部５は、側面部１６，１８のそれぞれに配置されたレールＲ１、Ｒ２により、移動可能に設けられている。レールＲ１、Ｒ２は、側面部１６，１８において正面側から背面部２０に向かう水平方向に沿って延在しており、引出し部５は、レールＲ１、Ｒ２に沿って水平に移動する。これよって、筐体３の中に収納された引出し部５は、筐体３の手前に引出し、筐体３内に収納する動作を繰り返し行うことができるように構成されている。
【００３１】
具体的には、引出し部５は、図５及び図６に示す状態が第２空間Ｓ２（第１空間Ｓ１）に収容された状態であり、図７に示す状態が第２空間Ｓ２（第１空間Ｓ１）から引き出された状態である。
【００３２】
前面部３４は、引出し部５が筐体３の第１空間Ｓ１（第２空間Ｓ２）に収納されたときに、第１開口部Ｋ１（第２開口部Ｋ２）を覆う。前面部３４上端部は、下り壁２４（２３ｂ）の下端部よりも上方に位置しており、下り壁２４（２３ｂ）と当接する。このとき、前面部３４及び下り壁２４（２３ｂ）は、閉空間を画成する側部を構成している。すなわち、図５に示すように、引出し部５が第１空間Ｓ１に収容されたときに、上面部１２、側面部１６，１８、背面部２０、及び、前面部３４と下り壁２４とからなる側面部により、第１空間Ｓ１が閉空間とされる。同様に、引出し部５が第２空間Ｓ２に収容されたときに、仕切り部２２、側面部１６，１８、背面部２０、及び、前面部３４と下り壁２３ｂとからなる側部により、第２空間Ｓ２が閉空間とされる。
【００３３】
前面部３４は、窓部３８と、第２吸気口４０と、を有している。窓部３８は、略長方形状の窓枠３８ａに透明板３８ｂが配置されて構成されている。窓部３８は、前面部３４の幅方向に沿って設けられている。窓部３８により、引出し部５が筐体３に収納された状態で、植物Ｐを目視できる。
【００３４】
第２吸気口４０は、窓部３８の下方に配置されている。第２吸気口４０は、前面部３４の幅方向に沿って設けられている。（なお、第２吸気口４０は、前面部３４を貫通した第１吸気孔４０ａと、補強のための下地前面板を貫通した第２吸気孔４０ｂと、から構成されている。第１吸気孔４０ａと第２吸気孔４０ｂとは、連通している。第１吸気孔４０ａは、前面部３４において前方に位置しており、第２吸気孔４０ｂは、第１吸気孔４０ａの後方に位置している。第１吸気孔４０ａの高さ寸法（幅）は、第２吸気孔４０ｂよりも小さい。）
【００３５】
載置部３６は、引出し部５の床面を構成する、前面部３４に略直交して延在する板状の部材であり、前面部３４の下端側に連結されている。載置部３６は、引出し部５が第１空間Ｓ１（第２空間Ｓ２）に収容されたときに、仕切り部２２の上面２２ａ（下面部１４の内面１４ａ）との間に少し間隔を設けて対向している。載置部３６は、引出部５がレールＲ１、Ｒ２に沿って水平に移動しても、仕切り部２２の上面２２ａ（下面部１４の内面１４ａ）と擦れないように構成されている。
【００３６】
水耕栽培ユニット７は、引出し部５の載置部３６に配置されている。水耕栽培ユニット７は、引出し部５において、取り付け及び取り外し可能に設けられている。水耕栽培ユニット７は、植物の養水（養液）Ｗを貯留する貯留槽（水耕栽培器）４２と、貯留槽４２内の養水Ｗの温度を制御するペルチェ素子（温度制御部）４４と、換気ファン（第２排気手段）４６と、を有している。図６に示すように、貯留槽４２は、載置部３６に載置された断面容器４１に収容されている。
【００３７】
貯留槽４２は、トレイ状の容器であり、底部４２ａと、底部４２ａの縁部から上方に延在する側部４２ｂと、蓋部４２ｃと、を有している。貯留槽４２は、例えばスチロール樹脂やウレタン樹脂等の樹脂の発泡体等の材料で形成されていることが好ましい。蓋部４２ｃは、側部４２ｂにより形成される開口部を覆うように配置されている。蓋部４２ｃは、板状の部材であり、貫通孔が設けられ、植物Ｐの培地を収容する容器である培地ポット等（図示しない）を嵌め込むための支持孔４３を複数有している。
【００３８】
貯留槽４２の下部には、例えばアルミニウム材である冷却板４８が底部４２ａと面接触するように配置されている。冷却板は、ヒートレーン（登録商標）等の伝熱板５０と面接触しており、伝熱板５０は、ペルチェ素子４４に接続されている。すなわち、ペルチェ素子４４は、伝熱板５０及び冷却板４８を介して、貯留槽４２の養水Ｗの温度を制御する。ペルチェ素子４４は、放熱フィンＦ（図５及び図７では、断面での図示を省略している）上に配置されている。
【００３９】
換気ファン４６は、後述するように冷却板４８を冷却する制御状態になっているペルチェ素子４４から発生する熱を第１空間Ｓ１、第２空間Ｓ２の栽培層ＰＬに移動させることなく、水耕栽培装置１（筐体３）の外部に排気する。換気ファン４６は、載置部３６に配置され、ペルチェ素子４４が配置された放熱フィンＦに隣接している。ペルチェ素子４４の熱は、放熱フィンＦに伝達され、換気ファン４６は、放熱フィンＦの熱を排気する。
【００４０】
換気ファン４６は、載置部３６において、第２排気口３２に対応する位置に配置されている。本実施形態では、換気ファン４６は、水耕栽培ユニット７（引出し部５）の後部で且つ側面部１８側に配置されている。第２排気口３２に対応する位置とは、引出し部５が筐体３に収納された状態で、背面部２０側から見たときに、換気ファン４６の少なくとも一部が第２排気口３２に位置している、すなわち換気ファン４６が第２排気口３２と重なる位置に配置されている位置である。換気ファン４６は、第２吸気口４０から吸気し、ペルチェ素子４４から発生する熱を第２排気口３２から排気する。
【００４１】
照明ユニット９は、照明装置５２と、換気ファン（第１排気手段）５４と、を有している。照明装置５２は、水耕栽培ユニット７に向けて光を照射する。照明装置５２は、上面部１２の内面１２ａ（仕切り部２２の下面２２ｂ）に配置されている。照明装置５２は、光源であるＬＥＤ（Light Emitting Diode）５２ａを複数有している。ＬＥＤ５２ａは、例えば波長が４４０ｎｍ及び６６０ｎｍを含む波長領域で光強度が高くなる光スペクトル特性を有している。照明装置５２は、各ＬＥＤ５２ａに略円錐状の反射部５２ｂが設けられている。なお、光源としては、例えば蛍光灯や有機ＥＬ等であってもよい。
【００４２】
照明ユニット９の換気制御部（図示しない）は、熱気溜り層ＨＬの温度が過度に上昇しないように一定の温度（例えば、２０℃以下）となるように、換気ファン５４の動作を制御する。例えば、照明ユニット９内に温度検出部（図示しない）を設けて所定の温度で作動するようにしてもよい。照明ユニット９の換気制御部の他の実施形態では、照明器具の点灯（消灯）スイッチと換気ファン５４の作動（停止）スイッチを兼ねさせて、照明の点灯（消灯）と同時に換気扇が作動（停止）するようにする。
【００４３】
換気ファン５４、照明装置５２から発生する熱を水耕栽培装置１の外部に排気する。換気ファン５４は、第１排気口３０に対応する位置に配置されている。換気ファン５４は、第１吸気口２６（第１吸気口２８）から吸気し、照明装置５２から発生する熱を第１空間Ｓ１、第２空間Ｓ２を栽培層ＰＬに移動させることなく、熱気溜り層ＨＬで発生した熱を直接に第１排気口３０から排気する。本実施形態では、換気ファン５４は、照明装置５２の点灯及び消灯に連動して動作し、照明装置５２が点灯しているときに起動する。
【００４４】
制御部１０は、ペルチェ素子４４への通電を制御する回路基盤、換気ファン４６の通電を制御する回路基盤等、を備えたものである。
【００４５】
ペルチェ素子４４は、水耕栽培ユニット７の貯留槽４２の中に設けた温度検出部（図示しない）により検出された温度に基づいて通電され、貯留槽４２の養水Ｗが一定の温度（例えば、１５℃〜２０℃の間）となるように貯留槽４２の底部４２ａの伝熱板５０を加温するか又は冷却板４８を冷却する。なお、温度検出部は、貯留槽４２の周囲の温度を測定する温度センサーであってもよい。
【００４６】
換気ファン４６は、ペルチェ素子４４の周囲の温度を温度センサーで感知して、作動するようになっている。これにより、通電された冷却制御状態のペルチェ素子４４から発生する熱を第２排気口３２から排気する。
【００４７】
例えば、ペルチェ素子４４は、温度検出部が設定温度の上限である２０℃以上になった場合、冷却制御状態になり、ペルチェ素子４４が通電することにより冷却板４８を冷やすと共にペルチェ素子４４自身は発熱してペルチェ素子４４の周囲の空気が設定温度（２０℃）を超える。このとき、換気ファン４６の温度センサーが感知して、換気ファン４６を起動して、第２排気口３２から筐体３の外部へ排気する。
【００４８】
逆に、温度検出部が設定温度の下限である１５℃未満になった場合は、ペルチェ素子４４は、加温制御状態になり、ペルチェ素子４４の極性を切り替えて通電することにより伝熱板５０を温めると共にペルチェ素子４４自身は冷えて周囲の熱を奪う。このとき、ペルチェ素子４４の周囲の温度が下がるので、自然対流により筐体３外部の暖気が第２吸気口４０から導入される。
【００４９】
上記構成を有する本実施形態の水耕栽培装置１では、第１及び第２空間Ｓ１，Ｓ２において、植物Ｐの想定高さ位置Ｈを境界として、熱溜まり層ＨＬと、栽培層ＰＬとが形成される。熱溜まり層ＨＬは、上面部１２の内面１２ａ（仕切り部２２の下面２２ｂ）と植物Ｐの想定高さ位置Ｈとの間に形成され、照明装置５２により発生した熱が溜まる層である。栽培層ＰＬは、貯留槽４２の蓋部４２ｃの表面と植物Ｐの想定高さ位置Ｈとの間に形成される。
【００５０】
このように、本実施形態の水耕栽培装置１では、水耕栽培装置１内の熱源である照明装置５２周辺の空気（熱溜まり層ＨＬ）を換気ファン５４で排熱して温度上昇を制御することにより植物Ｐの栽培に最適な温度環境を提供する。
【００５１】
また、熱溜まり層ＨＬを排熱しても、なお、栽培層ＰＬの温度が栽培層ＰＬ内の温度が植物の栽培の適温を超えて暑くなったり、冬場の寒さで適温より低くなってしまうことがある。この場合には、ペルチェ素子４４により伝熱板５０や冷却板４８を介して水耕栽培ユニット７の貯留槽４２を加温又は冷却することで、養水Ｗ自身を適温に保ち、植物Ｐが枯れないようにしている。
【００５２】
更に、本実施形態の水耕栽培装置１では、温度制御部であるペルチェ素子４４が養水Ｗを冷却する際のペルチェ素子４４自身の発熱を感知して、第２排気手段である換気ファン４６が起動して外部の空気との熱交換を行い排熱する。ペルチェ素子４４が養水Ｗを加温する場合は、ペルチェ素子４４自身が周囲の熱を奪うのに伴い第２吸気口４０から外部の暖気を導入する。
【００５３】
以上説明したように、本実施形態の水耕栽培装置１は、照明装置５２が配置された上面部１２（仕切り部２２）側に第１吸気口２６（第１吸気口２８）及び第１排気口３０が配置され、ペルチェ素子４４が配置された仕切り部２２（下面部１４）側に第２吸気口４０及び第２排気口３２が配置されている。これにより、水耕栽培装置１では、照明装置５２から発生する熱は、第１吸気口２６（第１吸気口２８）と第１排気口３０とにより形成される換気路を介して換気ファン５４により外部に排気される。これにより、水耕栽培装置１では、熱溜まり層ＨＬの熱を外部に放出できる。また、ペルチェ素子４４から発生する熱は、第２吸気口４０と第２排気口３２とにより形成される換気路を介して換気ファン４６により外部に排気される。
【００５４】
したがって、水耕栽培装置１では、それぞれの熱源に対応した換気路が形成され、熱源から発生した熱を各換気路により放出することができる。したがって、水耕栽培装置１では、熱源から発生する熱が閉空間とされた第１及び第２空間Ｓ１，Ｓ２内において拡散することを抑制でき、植物Ｐの栽培層ＰＬ（栽培空間）への熱の影響を低減することができるので、植物Ｐの栽培層ＰＬの温度の制御を効率的に行うことができる。
【００５５】
本実施形態では、第１吸気口２６（第１吸気口２８）及び第１排気口３０は、照明装置５２から下方に所定の距離の範囲内で、且つ、栽培される植物Ｐの想定高さ位置Ｈよりも上方に配置されている。これにより、水耕栽培装置１では、照明装置５２から発生する熱が、照明装置５２の下方の植物Ｐの栽培層ＰＬに拡散することをより一層抑制できる。
【００５６】
本実施形態では、水耕栽培装置１は、引出し部５を備えている。これにより、水耕栽培装置１では、引出し部５を第１及び第２空間Ｓ１，Ｓ２から引き出すことができるので、水耕栽培ユニット７におけるメンテナンス性の向上が図れる。また、水耕栽培装置１では、換気ファン４６は、ペルチェ素子４４と共に載置部３６に配置されている。これにより、水耕栽培装置１では、ペルチェ素子４４の近傍に換気ファン４６が配置されるため、ペルチェ素子４４から発生した熱を好適に排気できる。
【００５７】
本実施形態では、水耕栽培装置１は、筐体３にキャスターＣ１〜Ｃ４が設けられている。これにより、水耕栽培装置１は、移動を容易に行うことができる。
【００５８】
本実施形態では、水耕栽培ユニット７は、引出し部５から取り外すことができる。これにより、引出し部５を収納棚として使用することができる。
【００５９】
本発明は、上記実施形態に限定されるものではない。例えば、第１吸気口２６，２８及び第１排気口３０の位置及び個数は、適宜設定されればよい。また、第２吸気口４０及び第２排気口３２の位置及び個数は、適宜設定されればよい。
【００６０】
上記実施形態では、水耕栽培装置１の筐体３にキャスターＣ１〜Ｃ４が設けられている構成を一例に説明したが、キャスターＣ１〜Ｃ４は、設けられなくてもよい。また、上記実施系形態では、水耕栽培装置１が独立して設けられる構成を一例に説明したが、水耕栽培装置は、キチンセットの一部として設けられてもよいし、収納棚（家具）の一部として設けられてもよい。
【００６１】
上記実施形態では、水耕栽培装置１に第１及び第２空間Ｓ１，Ｓ２が形成される構成を一例に説明したが、水耕栽培装置に形成される空間の数は、適宜設定されればよい。
【００６２】
上記実施形態では、引き出部５を備える構成を一例に説明したが、引出し部５を備えない構成であってもよい。例えば、水耕栽培装置は、筐体の開口部を覆うように、観音開きの扉が設けられてもよい。また、水耕栽培装置は、引出し部５に加えて、更に観音開きの扉が設けられてもよい。
【符号の説明】
【００６３】
１…水耕栽培装置、５…引出し部、７…水耕栽培ユニット（水耕栽培器）、１２…上面部（上部）、１４…下面部（下部）、１６，１８…側面部（側部）、２０…背面部（側部）、２２…仕切り部（下部）、２３ｂ，２４…突出部（側部）、２６，２８…第１吸気口、３０…第１排気口、３２…第２排気口、３４…前面部（側部）、３６…載置部、４０…第２吸気口、４４…ペルチェ素子（温度制御部）、４６…換気ファン（第２排気手段）、５２…照明装置、５４…換気ファン（第１排気手段）、Ｃ１〜Ｃ４…キャスター、Ｓ１，Ｓ２…第１、第２空間（閉空間）、Ｗ…養水（養液）。
【図１】
2014161298.tif 000003
【図２】
2014161298.tif 000004
【図３】
2014161298.tif 000005
【図４】
2014161298.tif 000006
【図５】
2014161298.tif 000007
【図６】
2014161298.tif 000008
【図７】
2014161298.tif 000009